(57)【要約】【課題】  任意の位置に任意のサイズで表示画像を表示することが可能な画像表示システムを提供する。【解決手段】  本発明の画像表示システムは、端末１００及び表示装置１２０を含み、端末１００は、表示画像を指定するための表示画像指定情報、前記表示画像の表示位置に関する表示位置情報及び前記表示画像の表示サイズに関する表示サイズ情報を表示装置１２０に送信し、表示装置１２０は、前記表示画像指定情報により指定された前記表示画像を、前記表示位置情報に基づいて所定の位置に、前記表示サイズ情報に基づいて所定の大きさで表示する。【選択図】  図１
2013246328.tif 000002
【特許請求の範囲】
【請求項１】
端末及び表示装置を含み、
前記端末は、表示画像を指定するための表示画像指定情報、前記表示画像の表示位置に関する表示位置情報及び前記表示画像の表示サイズに関する表示サイズ情報を前記表示装置に送信し、
前記表示装置は、前記表示画像指定情報により指定された前記表示画像を、前記表示位置情報に基づいて所定の位置に、前記表示サイズ情報に基づいて所定の大きさで表示する、画像表示システム。
【請求項２】
前記端末は、
画像取得手段と、
前記表示画像指定情報、前記表示位置情報及び前記表示サイズ情報を前記表示装置に送信する通信手段と、
を含み、
前記表示装置は、
前記表示位置情報を供給する表示位置情報供給手段と、
前記表示画像を表示するための映像信号を処理する映像信号処理手段と、
前記表示画像指定情報、前記表示位置情報及び前記表示サイズ情報を前記端末から受信する通信手段と、
を含み、
前記画像取得手段は、前記表示画像と、前記表示装置の前記表示位置情報供給手段とを含む画像を撮影し、
前記端末及び前記表示装置の少なくとも一方が、さらに、表示位置計算手段を含み、
前記表示位置計算手段は、前記画像取得手段により撮影された撮影画像データ内の前記表示装置の前記表示位置情報供給手段の位置と前記表示画像の位置から、前記表示位置情報を生成し、
前記表示装置の前記映像信号処理手段は、前記表示位置計算手段により生成された前記表示位置情報に基づいた表示位置に、前記表示画像を表示する、請求項１記載の画像表示システム。
【請求項３】
前記端末は、さらに、画像を投影する画像投影手段を有し、
前記画像取得手段は、前記画像投影手段により投影された前記表示画像と、前記表示装置の前記表示位置情報供給手段とを含む画像を撮影し、
前記端末が、前記表示位置計算手段を含む、請求項２記載の画像表示システム。
【請求項４】
前記端末は、さらに、画像を投影する画像投影手段を有し、
前記画像取得手段は、前記画像投影手段により投影された前記表示画像と、前記表示装置の前記表示位置情報供給手段とを含む画像を撮影し、
前記表示装置が、前記表示位置計算手段を含む、請求項２記載の画像表示システム。
【請求項５】
前記端末は、さらに、画像表示手段を有し、
前記画像取得手段により前記表示画像と前記表示装置の前記表示位置情報供給手段とを含む画像を撮影するのに代えて、前記画像表示手段により、前記表示画像と前記画像取得手段で撮影された前記表示装置の表示位置情報供給手段とを重ね合わせた画像を取得する、請求項２記載の画像表示システム。
【請求項６】
さらに、パーソナルコンピュータを含み、
前記表示装置に代えて、前記パーソナルコンピュータが、前記表示画像指定情報、前記表示位置情報及び前記表示サイズ情報を前記端末から受信する通信手段を含み、
前記パーソナルコンピュータにより、前記表示装置に前記表示位置情報供給手段を表示させる、請求項２から５のいずれか一項に記載の画像表示システム。
【請求項７】
さらに、サーバを含み、
前記サーバは、前記表示画像のデータを記憶しており、
前記端末及び前記表示装置の少なくとも一方に代えて、前記サーバが、前記表示位置計算手段を含み、
前記表示位置計算手段は、前記画像取得手段により撮影された撮影画像データ内の前記表示装置の前記表示位置情報供給手段の位置と前記表示画像の位置から、前記表示位置情報を生成する、請求項２記載の画像表示システム。
【請求項８】
前記表示装置は、２つの前記表示位置情報供給手段を含む、請求項２から７のいずれか一項に記載の画像表示システム。
【請求項９】
前記端末を、第１の端末とし、
前記表示装置に代えて、前記第１の端末とは別の第２の端末を含み、
前記第２の端末は、表示位置情報供給手段投影手段と、
前記表示画像指定情報、前記表示位置情報及び前記表示サイズ情報を前記端末から受信する通信手段と、
を含み、
前記画像取得手段は、前記表示画像と、前記第２の端末の前記表示位置情報供給手段投影手段が投影した前記表示位置情報供給手段とを含む画像を撮影し、
前記第１の端末及び前記第２の端末の少なくとも一方が、さらに、表示位置計算手段を含み、
前記表示位置計算手段は、前記画像取得手段により撮影された撮影画像データ内の前記第２の端末の前記表示位置情報供給手段投影手段が投影した前記表示位置情報供給手段の位置と前記表示画像の位置から、前記表示位置情報を生成し、
前記第２の端末の前記表示位置情報供給手段投影手段は、前記表示位置計算手段により生成された前記表示位置情報に基づいた表示位置に、前記表示画像を投影する、請求項２記載の画像表示システム。
【請求項１０】
前記表示画像として、前記画像取得手段が撮影した画像を用いる、請求項２から９のいずれか一項に記載の画像表示システム。
【請求項１１】
前記表示装置を、第１の表示装置とし、
さらに、前記第１の表示装置とは別の第２の表示装置を含み、
前記第２の表示装置は、表示画像と、前記第１の表示装置の前記表示位置情報供給手段とは別の前記表示画像の表示位置情報供給手段を表示する、請求項２記載の画像表示システム。
【請求項１２】
前記表示位置情報供給手段が、不可視光で表示される画像である、請求項２から１１のいずれか一項に記載の画像表示システム。
【請求項１３】
請求項１から１２のいずれか一項に記載の画像表示システムに用い、
表示画像を指定するための表示画像指定情報、前記表示画像の表示位置に関する表示位置情報及び前記表示画像の表示サイズに関する表示サイズ情報を前記表示装置に送信する、端末。
【請求項１４】
請求項１から１２のいずれか一項に記載の画像表示システムに用い、
前記表示画像指定情報により指定された前記表示画像を、前記表示位置情報に基づいて所定の位置に、前記表示サイズ情報に基づいて所定の大きさで表示する、表示装置。
【発明の詳細な説明】
【技術分野】
【０００１】
本発明は、画像表示システム、端末及び表示装置に関する。
【背景技術】
【０００２】
近年、ディスプレイ及びプロジェクタ等の表示装置において、有線ＬＡＮ（Ｌｏｃａｌ  Ａｒｅａ  Ｎｅｔｗｏｒｋ）又は無線ＬＡＮで直接ネットワークに接続できる装置が利用されるようになってきた。このような表示装置と表示画像の供給元であるパーソナルコンピュータ（以下、「ＰＣ」という。）等で画像表示システムを構成した場合、ＰＣと表示装置のネットワーク上の接続関係を確立したのち、ＰＣから表示装置に表示画像データを転送することにより、表示装置上で表示画像を表示することができる。
【０００３】
しかしながら、無線ＬＡＮによってＰＣからプロジェクタにネットワーク接続を行うためには、必要な接続情報、例えば、プロジェクタのＩＰアドレス及びネットワーク名を示すＥＳＳＩＤ（Ｅｘｔｅｎｄｅｄ  Ｓｅｒｖｉｃｅ  Ｓｅｔ  ＩＤｅｎｔｉｆｉｅｒ）等の識別子、あるいは通信データの暗号化技術であるＷＥＰ（Ｗｉｒｅｄ  Ｅｑｕｉｖａｌｅｎｔ  Ｐｒｉｖａｃｙ）におけるパスワード等をＰＣに入力する必要がある。この入力作業を行うためには、予めプロジェクタの接続情報を調べておかねばならず、また、接続情報を把握していたとしても、ネットワークに関する知識がないと入力作業を行うことは困難であった。
【０００４】
このような問題点に鑑み、１つの電子機器（例えば、携帯情報端末）から他の電子機器（例えば、プロジェクタ）に簡便にアクセスするための技術が、特許文献１に開示されている。特許文献１に記載の画像表示システムでは、プロジェクタに接続するための接続情報（ＩＤ情報）を符号化した接続情報コードを、プロジェクタの画像表示領域に表示し、携帯情報端末に接続情報コードを読み取らせることで、携帯情報端末が、読み取った接続情報コードに基づいて接続情報を認識してプロジェクタとのネットワーク接続を確立させることができるようになっている。さらに、特許文献１に記載のプロジェクタは、プロジェクタの画像表示領域を複数の領域に分割し、分割された各領域を特定可能な領域情報が付加された接続情報を符号化して接続情報コードを生成し、各領域に、それぞれに対応する接続情報コードを表示する。接続情報コードを読み取った携帯情報端末は、領域情報を認識する。プロジェクタは、携帯情報端末が認識した領域情報を取得して、領域情報が表す領域に携帯情報端末から送られてくる表示画像を表示できる。
【先行技術文献】
【特許文献】
【０００５】
【特許文献１】特許第４２７４２１７号公報
【発明の概要】
【発明が解決しようとする課題】
【０００６】
しかしながら、特許文献１に記載の画像表示システムでは、携帯情報端末から送られてくる表示画像を予め定められた分割領域に表示することとなるため、プロジェクタの画像表示領域の任意の位置に任意のサイズで表示画像を表示することが困難である。
【０００７】
本発明の目的は、任意の位置に任意のサイズで表示画像を表示することが可能な画像表示システム、端末及び表示装置を提供することにある。
【課題を解決するための手段】
【０００８】
前記目的を達成するために、本発明の画像表示システムは、
端末及び表示装置を含み、
前記端末は、表示画像を指定するための表示画像指定情報、前記表示画像の表示位置に関する表示位置情報及び前記表示画像の表示サイズに関する表示サイズ情報を前記表示装置に送信し、
前記表示装置は、前記表示画像指定情報により指定された前記表示画像を、前記表示位置情報に基づいて所定の位置に、前記表示サイズ情報に基づいて所定の大きさで表示する。
【０００９】
本発明の端末は、前記本発明の画像表示システムに用い、
表示画像を指定するための表示画像指定情報、前記表示画像の表示位置に関する表示位置情報及び前記表示画像の表示サイズに関する表示サイズ情報を前記表示装置に送信する。
【００１０】
本発明の表示装置は、前記本発明の画像表示システムに用い、
前記表示画像指定情報により指定された前記表示画像を、前記表示位置情報に基づいて所定の位置に、前記表示サイズ情報に基づいて所定の大きさで表示する。
【発明の効果】
【００１１】
本発明によれば、任意の位置に任意のサイズで表示画像を表示することが可能な画像表示システム、端末及び表示装置を提供することができる。
【図面の簡単な説明】
【００１２】
【図１】図１は、実施形態１の画像表示システムの構成を示すブロック図である。
【図２】図２は、実施形態１の画像表示システムを示す模式図である。
【図３】図３は、実施形態１の画像表示システムの端末の操作手段を示す模式図である。
【図４】図４は、実施形態１の画像表示システムの構成の詳細を示すブロック図である。
【図５】図５は、実施形態２の画像表示システムの構成の詳細を示すブロック図である。
【図６】図６は、実施形態３の画像表示システムの構成の詳細を示すブロック図である。
【図７】図７は、実施形態３の画像表示システムを示す模式図である。
【図８】図８は、実施形態３の画像表示システムを示す別の模式図である。
【図９】図９は、実施形態４の画像表示システムの構成の詳細を示すブロック図である。
【図１０】図１０は、実施形態４の画像表示システムの一部を示す模式図である。
【図１１】図１１は、実施形態５の画像表示システムの構成の詳細を示すブロック図である。
【図１２】図１２は、実施形態５の画像表示システムを示す模式図である。
【図１３】図１３は、実施形態５の画像表示システムを示す別の模式図である。
【図１４】図１４は、実施形態６の画像表示システムを示す模式図である。
【図１５】図１５は、実施形態７の画像表示システムを示す模式図である。
【図１６】図１６は、実施形態７の画像表示システムを示す別の模式図である。
【図１７】図１７は、実施形態７の画像表示システムの第１の端末及び第２の端末の操作手段を示す模式図である。
【図１８】図１８は、実施形態７の画像表示システムの構成の詳細を示すブロック図である。
【図１９】図１９は、実施形態８の画像表示システムを示す模式図である。
【図２０】図２０は、実施形態８の画像表示システムを示す別の模式図である。
【図２１】図２１は、実施形態８の画像表示システムの端末の操作手段を示す模式図である。
【図２２】図２２は、実施形態９の画像表示システムを示す模式図である。
【図２３】図２３は、実施形態９の画像表示システムを示す別の模式図である。
【図２４】図２４は、実施形態９の画像表示システムの端末の操作手段を示す模式図である。
【図２５】図２５は、実施形態９の画像表示システムの構成の詳細を示すブロック図である。
【発明を実施するための形態】
【００１３】
以下、本発明の画像表示システム、端末及び表示装置について、例を挙げて詳細に説明する。ただし、本発明は、以下の実施形態に限定されない。なお、以下の図において、同一部分には、同一符号を付している。また、図面においては、説明の便宜上、各部の構造は適宜簡略化して示す場合があり、各部の寸法比等は、実際とは異なる場合がある。
【００１４】
［実施形態１］
図１は、本実施形態の画像表示システムの構成を示すブロック図である。図１に示すように、本実施形態の画像表示システムは、端末１００及び表示装置１２０を主要な構成要素として含む。端末１００は、画像取得手段１１８と、表示画像指定情報、表示位置情報及び表示サイズ情報を表示装置１２０に送信する通信手段１０５と、画像投影手段１１９と、表示位置計算手段１０１とを主要な構成要素として含む。表示装置１２０は、表示位置情報を供給する表示位置情報供給手段６と、表示画像を表示するための映像信号を処理する映像信号処理手段１２７と、表示画像指定情報、表示位置情報及び表示サイズ情報を端末１００から受信する通信手段１２５とを主要な構成要素として含む。
【００１５】
図２は、本実施形態の画像表示システムを示す模式図である。図２に示すように、本実施形態において、端末１００は、操作手段１０３を含む小型携帯情報端末である。図３は、操作手段１０３を示す模式図である。図３に示すように、操作手段１０３は、画像投影手段１１９のオン／オフ操作を指示する表示オン・オフボタン１１と、表示画像を指定する２つの選択ボタン１２及び１３を含む。また、本実施形態において、表示装置１２０は、ディスプレイである。そして、本実施形態において、表示位置情報供給手段６は、表示装置１２０を特定し、端末１００と接続するための接続情報を符号化したＱＲコード（登録商標）等の識別情報画像である。本実施形態の画像表示システムにおいて、表示位置情報供給手段６は、表示装置１２０の任意の位置に映像として表示されていてもよいし、表示装置１２０の任意の位置にシール等として貼られていてもよい。
【００１６】
図４は、本実施形態の画像表示システムの構成の詳細を示すブロック図である。図４に示すように、端末１００は、前述の構成要素に加えて、記憶手段１０２と、インターフェース（Ｉ／Ｆ）１０４と、データパス１０６と、分光光学系１１３とを含む。画像投影手段１１９は、映像信号処理手段１１０と、光源駆動手段１０８と、走査素子駆動手段１０９と、レーザ光源１１４と、コリメート光学系１１５と、走査素子１１６とを含むレーザ走査型プロジェクタである。画像取得手段１１８は、映像信号処理手段１０７と、撮像素子１１１と、集光光学系１１２とを含むカメラである。画像投影手段１１９の投射光と画像取得手段１１８の入射光は、分光光学系１１３により同一光軸上にあり、図２に示すように、画像取得手段１１８の撮影範囲３内に画像投影手段１１９の投影範囲４がある。
【００１７】
表示装置１２０は、前述の構成要素に加えて、記憶手段１２２と、操作手段１２３と、Ｉ／Ｆ１２４と、データパス１２６とを含む。なお、図４においては、表示装置１２０の表示位置情報供給手段６の図示を省略している。
【００１８】
端末１００の記憶手段１０２は、画像投影手段１１９で投影する画像のデータを保存する。画像投影手段１１９は、映像信号処理手段１１０に画像データを入力すると、入力された画像データに基づいて、光源駆動手段１０８に変調信号を出力し、走査素子駆動手段１０９に走査信号を出力する。光源駆動手段１０８は、入力した変調信号に従い、レーザ光源１１４の出力光強度を変調するレーザ光源駆動信号を出力する。走査素子駆動手段１０９は、入力した走査信号に従い、レーザ光源１１４の出力光強度変調に同期して走査素子１１６を駆動する走査素子駆動信号を出力する。また、画像投影手段１１９は、操作手段１０３の表示オン指示に従って、記憶手段１０２から入力した画像データに基づいた画像を投影し、操作手段１０３の表示オフ指示に従って、画像の投影を終了する。画像取得手段１１８は、操作手段１０３の撮影指示に従って、映像信号処理手段１０７が撮像素子１１１の入力光像を撮影画像データに変換して、撮影画像データを表示位置計算手段１０１に出力する。画像取得手段１１８は、表示画像と、表示装置１２０の表示位置情報供給手段６とを含む画像を撮影する。表示位置計算手段１０１は、画像取得手段１１８により撮影された撮影画像データ内の表示装置１２０の表示位置情報供給手段６の位置と表示画像の位置から表示装置１２０内での表示画像投影位置を判断し、表示位置情報を生成する。通信手段１０５は、アクセスポイント１３１と無線で通信し、データを交信する。アクセスポイント１３１としては、従来公知のものを用いればよい。
【００１９】
表示装置１２０の通信手段１２５は、アクセスポイント１３１と有線で通信し、データを交信する。記憶手段１２２は、表示画像のデータを保存する。映像信号処理手段１２７は、端末の表示位置計算手段１０１により生成された表示位置情報に基づいた表示位置に、表示画像を表示する。
【００２０】
つぎに、図２〜４を参照して、本実施形態の画像表示システムを用いた画像表示方法について説明する。
【００２１】
まず、端末１００の操作手段１０３は、表示オン・オフボタン１１が押されると、記憶手段１０２から画像のデータを読み出して画像投影手段１１９に画像を投影するように、表示オン指示を出力する。画像投影手段１１９は、操作手段１０３の表示オン指示に従って、記憶手段１０２から入力した画像データに基づいた画像を投影する。投影された画像が表示装置１２０で表示すべき所望の表示画像であるときは、表示オン・オフボタン１１が再度押される。投影された画像が表示装置１２０で表示すべき所望の表示画像と異なるときは、２つの選択ボタン１２及び１３により表示画像が投影されるように指定されたのち、表示オン・オフボタン１１が再度押される。
【００２２】
つぎに、操作手段１０３は、表示オン・オフボタン１１が再度押されると、画像取得手段１１８に撮影指示を出力する。画像取得手段１１８は、操作手段１０３の撮影指示に従って、画像を撮影し、撮影画像データを表示位置計算手段１０１に出力する。
【００２３】
表示位置計算手段１０１は、画像取得手段１１８が撮影した撮影画像データを入力すると、撮影画像データに表示装置１２０の表示位置情報供給手段６が含まれているか否かを判断する。表示位置計算手段１０１は、撮影画像データに表示装置１２０の表示位置情報供給手段６が含まれていなければ、操作手段１０３の新たな撮影指示により画像取得手段１１８が新たな撮影画像データを出力するまで待機する。
【００２４】
表示位置計算手段１０１は、撮影画像データに表示装置１２０の表示位置情報供給手段６が含まれていれば、撮影データ画像内の表示装置１２０の表示位置情報供給手段６の位置と表示画像の位置から表示装置１２０内での表示画像投影位置を判断し、表示位置情報を生成する。表示位置計算手段１０１は、撮影画像データ内の表示装置１２０の表示位置情報供給手段６から、表示装置１２０の接続情報を取得する。
【００２５】
つぎに、表示位置計算手段１０１は、Ｉ／Ｆ１０４を介して通信手段１０５に表示装置１２０の接続情報を出力するとともに、投影中の表示画像のデータを記憶手段１０２から読み出して、通信手段１０５に対し表示装置１２０に表示画像のデータと表示位置情報を送信するように指示する。通信手段１０５は、表示位置計算手段１０１のデータ送信指示に従って、表示装置１２０に対して表示画像のデータと表示位置情報とを送信する。
【００２６】
つぎに、表示位置計算手段１０１は、画像投影手段１１９に表示画像の投影を終了するように指示する。
【００２７】
つぎに、表示装置１２０の通信手段１２５が端末１００から表示画像のデータと表示位置情報を受信すると、通信手段１２５は、Ｉ／Ｆ１２４を介して映像信号処理手段１２７に受信した表示画像のデータと表示位置情報を出力する。映像信号処理手段１２７は、入力された表示位置情報から表示位置を判断し、入力された表示画像のデータに基づいた表示画像を表示する。
【００２８】
本実施形態によれば、表示装置１２０を特定し、端末１００と接続するための接続情報を符号化した識別情報画像である表示位置情報供給手段６を用いているため、複雑な接続操作を要することなく、端末１００と表示装置１２０とを簡便に接続させることが可能である。また、本実施形態によれば、表示位置計算手段１０１により、撮影データ画像内の表示装置１２０の表示位置情報供給手段６と表示画像の位置から、表示位置情報を生成しているため、任意の位置に任意のサイズで表示画像を表示することが可能である。さらに、本実施形態によれば、表示位置情報を生成したのち、画像投影手段１１９による画像の投影を終了するので、端末１００のバッテリの消耗が少なくて済み、端末１００の動作時間を長くできる。
【００２９】
本実施形態において、撮影画像データ内の表示装置１２０の表示位置情報供給手段６の位置と表示画像の位置から表示装置１２０内での表示画像投影位置を判断する方法としては、例えば、投影する元の画像の特徴点と撮影画像内の投影画像の特徴点とを比較して画像表示位置を抽出する方法、画像投影手段１１９から赤外光を投影して投影範囲を示し、画像取得手段１１８として赤外光に感度を有するものを用いて、表示装置１２０内での投影範囲を判断して画像表示位置を抽出する方法等があげられる。
【００３０】
本実施形態では、画像投影手段１１９を、レーザ走査型プロジェクタとしたが、２次元変調素子を用いた画像投射型プロジェクタとしてもよい。
【００３１】
本実施形態では、表示装置１２０の通信手段１２５とアクセスポイント１３１を、有線で接続したが、無線で接続してもよい。
【００３２】
本実施形態では、表示装置１２０を、ディスプレイとしたが、プロジェクタ等の画像投影装置としてもよい。
【００３３】
本実施形態において、表示装置１２０の表示位置情報供給手段６は、例えば、赤外光で表示する等して不可視化してもよい。この場合、端末１００の画像取得手段１１８は、赤外光に感度を有する。
【００３４】
［実施形態２］
図５は、本実施形態の画像表示システムの構成の詳細を示すブロック図である。図５に示すとおり、本実施形態の画像表示システムは、端末１００に代えて、表示装置１２０が表示位置計算手段１２１を含む点を除き、実施形態１の画像表示システムと同じ構成である。なお、図５においては、図４と同様に、表示装置１２０の表示位置情報供給手段６の図示を省略している。
【００３５】
つぎに、図５を参照して、本実施形態の画像表示システムを用いた画像表示方法について説明する。
【００３６】
まず、実施形態１の画像表示システムを用いた画像表示方法と同様にして、画像投影手段１１９により表示画像を投影する。
【００３７】
つぎに、操作手段１０３は、表示オン・オフボタン１１が押されると、画像取得手段１１８に撮影指示を出力する。画像取得手段１１８は、操作手段１０３の撮影指示に従って、画像を撮影し、撮影画像データに表示装置１２０の表示位置情報供給手段６が含まれているか否かを判断する。画像取得手段１１８は、撮影画像データに表示装置１２０の表示位置情報供給手段６が含まれていなければ、操作手段１０３が新たな撮影指示を出力するまで待機する。
【００３８】
画像取得手段１１８は、撮影画像データに表示装置１２０の表示位置情報供給手段６が含まれていれば、撮影画像データ内の表示装置１２０の表示位置情報供給手段６から、表示装置１２０の接続情報を取得する。
【００３９】
つぎに、画像取得手段１１８は、Ｉ／Ｆ１０４を介して通信手段１０５に表示装置１２０の接続情報を出力するとともに、投影中の表示画像のデータを記憶手段１０２から読み出して、通信手段１０５に対し表示装置１２０に表示画像のデータと撮影画像データを送信するように指示する。通信手段１０５は、画像取得手段１１８のデータ送信指示に従って、表示装置１２０に対して表示画像のデータと撮影画像データとを送信する。
【００４０】
つぎに、画像取得手段１１８は、画像投影手段１１９に表示画像の投影を終了するように指示する。
【００４１】
つぎに、表示装置１２０の通信手段１２５が端末１００から表示画像のデータと撮影画像データを受信すると、通信手段１２５は、Ｉ／Ｆ１２４を介して表示位置計算手段１２１に受信した表示画像のデータと撮影画像データを出力する。表示位置計算手段１２１は、入力された撮影画像データ内の表示装置１２０の表示位置情報供給手段６の位置と入力された表示画像のデータに基づく表示画像の位置から表示装置１２０内での画像表示位置を算出し、表示位置情報を生成する。
【００４２】
表示位置計算手段１２１は、映像信号処理手段１２７に表示画像のデータと表示位置情報を出力する。映像信号処理手段１２７は、入力された表示位置情報から表示位置を判断し、入力された表示画像のデータに基づいた表示画像を表示する。
【００４３】
本実施形態によっても、実施形態１と同様の効果を得ることができる。
【００４４】
［実施形態３］
図６は、本実施形態の画像表示システムの構成の詳細を示すブロック図である。図６に示すとおり、本実施形態の画像表示システムは、端末１００が、画像投影手段１１９に代えて、画像表示手段２３２及び映像信号処理手段２５２を含む点を除き、実施形態１の画像表示システムと同じ構成である。なお、図６においては、図４と同様に、表示装置１２０の表示位置情報供給手段６の図示を省略している。
【００４５】
図７及び８は、本実施形態の画像表示システムを示す模式図である。図７に示すように、端末１００の画像取得手段１１８の撮影範囲３と画像表示手段２３２の表示範囲は、一致する。
【００４６】
端末１００の操作手段１０３は、図示しないが、記憶手段１０２に保存した画像表示をオン／オフ操作する表示切替機能と、表示画像を選択指示する選択機能と、画像拡大縮小操作機能と、画像移動操作機能とを備え、映像信号処理手段２５２に表示指示を出力する。
【００４７】
映像信号処理手段２５２は、操作手段１０３の表示指示に従って、指示された位置に指示された大きさで記憶手段１０２から入力した画像データに基づいた画像を画像表示手段２３２に表示する。
【００４８】
つぎに、図６を参照して、本実施形態の画像表示システムを用いた画像表示方法について説明する。
【００４９】
まず、端末１００の操作手段１０３は、表示切替機能により表示オン指示を映像信号処理手段２５２に出力する。映像信号処理手段２５２は、操作手段１０３の表示オン指示に従って、記憶手段１０２から入力した画像データに基づいた画像を画像表示手段２３２に表示する。表示された画像が表示装置１２０で表示すべき所望の表示画像であり、表示装置１２０で表示すべき所望の大きさおよび位置であるときは、操作手段１０３の表示切替機能が再度選択される。表示された画像が表示装置１２０で表示すべき所望の表示画像と異なるときは、操作手段１０３の選択機能により表示画像が表示されるように指定され、表示装置１２０で表示すべき所望の大きさと異なるときは、操作手段１０３の画像拡大縮小操作機能により所望の大きさに拡大又は縮小され、表示装置１２０で表示すべき所望の位置と異なるときは、操作手段１０３の画像移動操作機能により所望の位置に移動されたのち、表示切替機能が再度選択される。
【００５０】
つぎに、操作手段１０３の表示切替機能が再度選択されると、操作手段１０３は、画像取得手段１１８に撮影指示を出力する。画像取得手段１１８は、操作手段１０３の撮影指示に従って、画像を撮影し、撮影画像データを表示位置計算手段１０１に出力する。
【００５１】
表示位置計算手段１０１は、画像取得手段１１８が撮影した撮影画像データを入力すると、撮影画像データに表示装置１２０の表示位置情報供給手段６が含まれているか否かを判断する。表示位置計算手段１０１は、撮影画像データに表示装置１２０の表示位置情報供給手段６が含まれていなければ、操作手段１０３の新たな撮影指示により画像取得手段１１８が新たな撮影画像データを出力するまで待機する。
【００５２】
表示位置計算手段１０１は、撮影画像データに表示装置１２０の表示位置情報供給手段６が含まれていれば、撮影データ画像内の表示装置１２０の表示位置情報供給手段６の位置と画像表示手段２３２の表示画像の表示位置から表示装置１２０内での画像表示位置を判断し、表示位置情報を生成する。表示位置計算手段１０１は、撮影画像データ内の表示装置１２０の表示位置情報供給手段６から、表示装置１２０の接続情報を取得する。
【００５３】
つぎに、表示位置計算手段１０１は、Ｉ／Ｆ１０４を介して通信手段１０５に表示装置１２０の接続情報を出力するとともに、表示中の表示画像のデータを記憶手段１０２から読み出して、通信手段１０５に対し表示装置１２０に表示画像のデータと表示位置情報を送信するように指示する。通信手段１０５は、表示位置計算手段１０１のデータ送信指示に従って、表示装置１２０に対して表示画像のデータと表示位置情報とを送信する。
【００５４】
つぎに、表示位置計算手段１０１は、映像信号処理手段２５２に画像表示手段２３２における表示画像の表示を終了するように指示する。
【００５５】
つぎに、表示装置１２０の通信手段１２５が端末１００から表示画像のデータと表示位置情報を受信すると、通信手段１２５は、Ｉ／Ｆ１２４を介して映像信号処理手段１２７に受信した表示画像のデータと表示位置情報を出力する。映像信号処理手段１２７は、入力された表示位置情報から表示位置を判断し、入力された表示画像のデータに基づいた表示画像を表示する。
【００５６】
本実施形態において、実施形態２と同様に、端末１００に代えて、表示装置１２０が表示位置計算手段１２１を含んでもよい。
【００５７】
本実施形態によっても、実施形態１と同様の効果を得ることができる。
【００５８】
［実施形態４］
図９は、本実施形態の画像表示システムの構成の詳細を示すブロック図である。図９においては、図４と同様に、表示装置１２０の表示位置情報供給手段６の図示を省略している。図１０は、本実施形態の画像表示システムの一部を示す模式図である。図１０においては、端末１００の図示を省略している。図９及び１０に示すように、本実施形態の画像表示システムは、さらに、ＰＣ２００を含み、表示装置１２０が通信手段１２５を含まない点を除き、実施形態１の画像表示システムと同じ構成である。
【００５９】
図９に示すとおり、ＰＣ２００は、制御手段２０１と、記憶手段２０２と、操作手段２０３と、Ｉ／Ｆ２０４と、通信手段２０５と、データパス２０６とを含む。記憶手段２０２は、通信手段２０５が受信した表示画像のデータと表示装置１２０に出力する表示画像のデータを保存する。制御手段２０１は、端末１００から表示画像のデータと表示位置情報を受信すると、受信した表示位置情報に基づいて受信した表示画像のデータの表示位置を算出し、算出した表示位置に受信した表示画像を表示した表示画像のデータを生成し、生成した表示画像のデータをＩ／Ｆ２０４に出力する。Ｉ／Ｆ２０４は、通信手段２０５が受信した表示画像のデータを制御手段２０１に出力し、制御手段２０１から入力した表示画像のデータを表示装置１２０に出力する。通信手段２０５は、アクセスポイント１３１と有線で通信し、データを交信する。ＰＣ２００は、自身を特定し、接続するための接続情報を符号化した表示位置情報供給手段６を含む画像データを生成し、表示装置１２０に出力する。表示装置１２０は、ＰＣ２００が出力する画像データに基づいた表示位置情報供給手段６を表示する。
【００６０】
つぎに、図９を参照して、本実施形態の画像表示システムを用いた画像表示方法について説明する。
【００６１】
まず、実施形態１と同様にして、表示位置計算手段１０１が、表示位置情報を生成する。表示位置計算手段１０１は、撮影画像データ内の表示装置１２０の表示位置情報供給手段６から、ＰＣ２００の接続情報を取得する。
【００６２】
つぎに、表示位置計算手段１０１は、Ｉ／Ｆ１０４を介して通信手段１０５にＰＣ２００の接続情報を出力するとともに、投影中の表示画像のデータを記憶手段１０２から読み出して、通信手段１０５に対しＰＣ２００に表示画像のデータと表示位置情報を送信するように指示する。通信手段１０５は、表示位置計算手段１０１のデータ送信指示に従って、ＰＣ２００に対して表示画像のデータと表示位置情報とを送信する。
【００６３】
つぎに、表示位置計算手段１０１は、画像投影手段１１９に表示画像の投影を終了するように指示する。
【００６４】
つぎに、ＰＣ２００の通信手段２０５が端末１００から表示画像のデータと表示位置情報を受信すると、通信手段２０５は、Ｉ／Ｆ２０４を介して制御手段２０１に表示画像のデータと表示位置情報を出力し、端末１００からの受信を通知する。制御手段２０１は、通信手段２０５から端末１００からの受信を通知されると、入力された表示位置情報から表示位置を算出し、算出した表示位置に表示画像を表示した表示画像のデータを生成し、生成した表示画像のデータをＩ／Ｆ２０４に出力する。Ｉ／Ｆ２０４は、制御手段２０１から入力した表示画像のデータを表示装置１２０に出力する。
【００６５】
つぎに、表示装置１２０のＩ／Ｆ１２４にＰＣ２００から表示画像のデータを入力すると、Ｉ／Ｆ１２４は、映像信号処理手段１２７に受信した表示画像のデータを出力する。映像信号処理手段１２７は、入力された表示画像のデータに基づいた表示画像を表示する。
【００６６】
本実施形態において、実施形態２と同様に、端末１００に代えて、表示装置１２０が表示位置計算手段１２１を含んでもよい。
【００６７】
本実施形態によっても、実施形態１と同様の効果を得ることができる。
【００６８】
［実施形態５］
図１１は、本実施形態の画像表示システムの構成の詳細を示すブロック図である。図１１においては、図４と同様に、表示装置１２０の表示位置情報供給手段６の図示を省略している。図１２及び１３は、本実施形態の画像表示システムを示す模式図である。本実施形態の画像表示システムは、さらに、サーバ１５０を含み、端末１００が表示位置計算手段１０１を含まない点を除き、実施形態１の画像表示システムと同じ構成である。
【００６９】
図１１に示すとおり、サーバ１５０は、表示位置計算手段１５１と、記憶手段１５２と、操作手段１５３と、Ｉ／Ｆ１５４と、通信手段１５５と、データパス１５６とを含む。記憶手段１５２は、通信手段１５５が送受信する画像のデータを保存する。表示位置計算手段１５１は、端末１００から画像データ送信要求を受信すると、要求された画像データを記憶手段１５１から読み出して、通信手段１５５に対してこの画像データを端末１００に送信するよう指示する。また、表示位置計算手段１５１は、端末１００から撮影画像データと表示装置１２０への画像データ送信要求を受信すると、受信した撮影画像データから表示装置１２０の接続情報を取得し、表示装置１２０内の表示位置情報を算出し、要求された画像データを記憶手段１５２から読み出して、通信手段１５５に対してこの画像データと算出した表示位置情報を表示装置１２０に送信するように指示する。通信手段１５５は、ルーター１６１及びクラウド１６２を介してアクセスポイント１３１と有線で通信し、データを交信する。
【００７０】
つぎに、図１１〜１３を参照して、本実施形態の画像表示システムを用いた画像表示方法について説明する。
【００７１】
まず、端末１００の操作手段１０３は、表示オン・オフボタン１１が押されると、記憶手段１０２から画像のデータを読み出し、指定したデータ名の画像データの送信要求をサーバ１５０に送信するようにＩ／Ｆ１０４を介して通信手段１０５に指示する。通信手段１０５は、指定したデータ名の画像データの送信要求をサーバ１５０に送信する。
【００７２】
通信手段１０５は、サーバ１５０から指定したデータ名の画像データを受信するまで待機する。
【００７３】
通信手段１０５は、サーバ１５０から指定したデータ名の画像データを受信すると、受信した画像データをＩ／Ｆ１０４を介して記憶手段１０２に出力する。記憶手段１０２は、画像投影手段１１９に入力した画像データを投影するように、表示オン指示を出力する。画像投影手段１１９は、記憶手段１０２の表示オン指示に従って、記憶手段１０２から入力した画像データに基づいた画像を投影する。投影された画像が表示装置１２０で表示すべき所望の表示画像であるときは、表示オン・オフボタン１１が再度押される。投影された画像が表示装置１２０で表示すべき所望の表示画像と異なるときは、２つの選択ボタン１２及び１３により表示画像が投影されるように指定されたのち、表示オン・オフボタン１１が再度押される。
【００７４】
つぎに、操作手段１０３は、表示オン・オフボタン１１が再度押されると、画像取得手段１１８に撮影指示を出力する。画像取得手段１１８は、操作手段１０３の撮影指示に従って、画像を撮影するとともに、現在投影中の画像のデータ名を記憶手段１０２から読み出し、Ｉ／Ｆ１０４を介して通信手段１０５に、サーバ１５０に対して撮影画像データと指定データ名画像データの表示装置１２０への送信要求を送信するように指示する。通信手段１０５は、画像取得手段１１８のデータ送信指示に従って、サーバ１５０に対して撮影画像データと指定データ名画像データの表示装置１２０への送信要求を送信する。
【００７５】
つぎに、画像取得手段１１８は、画像投影手段１１９に表示画像の投影を終了するように指示する。
【００７６】
サーバの通信手段１５５が端末１００から撮影画像データと表示装置１２０への送信要求を受信すると、通信手段１５５は、受信した表示装置１２０への送信要求をＩ／Ｆ１５４を介して表示位置計算手段１５１に通知する。表示位置計算手段１５１は、通信手段１５５から端末１００からの表示装置１２０への送信要求の受信を通知されると、受信した撮影画像データ内の表示装置１２０の表示位置情報供給手段６の有無を判断する。
【００７７】
表示位置計算手段１５１は、受信した撮影画像データ内に表示装置１２０の表示位置情報供給手段６を認めると、撮影画像データ内の表示装置１２０の表示位置情報供給手段６の位置と受信した指定データ名画像データに基づく画像の位置から表示装置１２０内での画像表示位置を判断し、表示位置情報を生成する。表示位置計算手段１５１は、撮影画像データ内の表示装置１２０の表示位置情報供給手段６から、表示装置１２０の接続情報を取得する。
【００７８】
表示位置計算手段１５１は、記憶手段１５２から指定されたデータ名の画像データを読み出し、Ｉ／Ｆ１５４を介して通信手段１５５に読み出した画像データと生成した表示位置情報を表示装置１２０に送信するように指示する。通信手段１５５は、読み出した画像データと生成した表示位置情報を表示装置１２０に送信する。
【００７９】
表示装置１２０の通信手段１２５がサーバ１５０から画像データと表示位置情報を受信すると、通信手段１２５は、受信した画像データと表示位置情報をＩ／Ｆ１２４を介して映像信号処理手段１２７に出力する。映像信号処理手段１２７は、受信した表示位置情報から表示位置を判断し、受信した画像データに基づいた画像を表示する。
【００８０】
本実施形態によっても、実施形態１と同様の効果を得ることができる。
【００８１】
［実施形態６］
図１４は、本実施形態の画像表示システムを示す模式図である。図１４に示すとおり、本実施形態の画像表示システムは、表示装置１２０が、２つの表示位置情報供給手段６及び７を含む点を除き、実施形態１の画像表示システムと同じ構成である。
【００８２】
２つの表示位置情報供給手段６及び７は、図１４に示すように、表示装置１２０の対角位置に極力離して配置することが好ましい。
【００８３】
本実施形態によれば、端末１００が、撮影画像データ内の表示装置１２０の表示位置情報供給手段と表示画像の位置から表示位置情報を生成するときに、２つの表示位置情報供給手段に基づいて表示画像の位置を判断できるため、表示位置精度をより高くすることが可能である。
【００８４】
本実施形態において、実施形態２と同様に、端末１００に代えて、表示装置１２０が表示位置計算手段１２１を含んでもよい。また、本実施形態において、実施形態３と同様に、端末１００が、画像表示手段２３２を含んでもよく、実施形態４及び５と同様に、さらに、ＰＣ２００又はサーバ１５０を含んでもよい。
【００８５】
本実施形態によっても、実施形態１と同様の効果を得ることができる。
【００８６】
［実施形態７］
図１５及び１６は、本実施形態の画像表示システムを示す模式図である。図１５及び１６に示すとおり、本実施形態の画像表示システムは、端末１００を、第１の端末１００とし、表示装置１２０に代えて、第１の端末１００とは別の第２の端末１７０を含み、第１の端末１００の操作手段１０３の構成が異なる点を除き、実施形態１の画像表示システムと同じ構成である。
【００８７】
図１５及び１６に示すように、本実施形態において、第２の端末１７０は、操作手段１７３を含む小型携帯情報端末である。第２の端末１７０は、自身を特定し、接続するための表示位置情報供給手段６を表示（投影）する。図１７は、操作手段１０３及び操作手段１７３を示す模式図である。図１７に示すように、操作手段１０３及び操作手段１７３は、表示オン・オフボタン５１と、２つの選択ボタン５２及び５３と、受信ボタン５４とを含む。
【００８８】
図１８は、本実施形態の画像表示システムの構成の詳細を示すブロック図である。図１８に示すように、第２の端末１７０は、操作手段１７３に加えて、記憶手段１７２と、Ｉ／Ｆ１７４と、通信手段１７５と、データパス１７６と、分光光学系１８３と、表示位置情報供給手段取得手段１８８と、表示位置情報供給手段投影手段１８９とを含む。表示位置情報供給手段投影手段１８９は、映像信号処理手段１８０と、光源駆動手段１７８と、走査素子駆動手段１７９と、レーザ光源１８４と、コリメート光学系１８５と、走査素子１８６とを含むレーザ走査型プロジェクタである。表示位置情報供給手段取得手段１８８は、映像信号処理手段１７７と、撮像素子１８１と、集光光学系１８２とを含むカメラである。表示位置情報供給手段投影手段１８９の投射光と表示位置情報供給手段取得手段１８８の入射光は、分光光学系１８３により同一光軸上にある。
【００８９】
図１５〜１８において、第２の端末１７０の記憶手段１７２は、表示位置情報供給手段投影手段１８９で投影する画像を保存する。操作手段１７３の表示オン・オフボタン５１は、表示位置情報供給手段投影手段１８９の投影のオン／オフ操作を指示し、２つの選択ボタン５２及び５３は、投影する画像を選択指示し、受信ボタン５４は、受信モードを指示する。表示位置情報供給手段投影手段１８９は、映像信号処理手段１８０に画像データを入力すると、入力された画像データに基づいて、光源駆動手段１７８に変調信号を出力し、走査素子駆動手段１７９に走査信号を出力する。光源駆動手段１７８は、入力した変調信号に従い、レーザ光源１８４の出力光強度を変調するレーザ光源駆動信号を出力する。走査素子駆動手段１７９は、入力した走査信号に従い、レーザ光源１８４の出力光強度変調に同期して走査素子１８６を駆動する走査素子駆動信号を出力する。また、表示位置情報供給手段投影手段１８９は、操作手段１７３の受信モード指示に従って、記憶手段１７２から入力した表示位置情報供給手段６のデータに基づいた表示位置情報供給手段６を所定位置に挿入した画像を投影し、操作手段１７３の表示オン指示に従って、記憶手段１７２から入力した画像データに基づいた画像を投影し、操作手段１７３の表示オフ指示に従って、画像の投影を終了する。表示位置情報供給手段取得手段１８８は、操作手段１７３の撮影指示に従って、映像信号処理手段１７７が撮像素子１８１の入力光像を撮影画像データに変換して、撮影画像データを表示位置情報供給手段投影手段１８９に出力する。通信手段１７５は、アクセスポイント１３１と無線で通信し、データを交信する。
【００９０】
つぎに、図１５〜１８を参照して、本実施形態の画像表示システムを用いた画像表示方法について説明する。
【００９１】
まず、第２の端末１７０の操作手段１７３の受信ボタン５４が押されると、操作手段１７３は、記憶手段１７２から表示位置情報供給手段６のデータを読み出して表示位置情報供給手段投影手段１８９に表示位置情報供給手段６が所定位置に挿入された画像を投影するように、受信モード指示を出力する。表示位置情報供給手段投影手段１８９は、操作手段１７３の受信モード指示に従って、記憶手段１７２から入力した表示位置情報供給手段６のデータに基づいた表示位置情報供給手段６を所定位置に挿入した画像を投影する。
【００９２】
つぎに、操作手段１０３は、表示オン・オフボタン５１が押されると、記憶手段１０２から画像のデータを読み出して画像投影手段１１９に画像を投影するように、表示オン指示を出力する。画像投影手段１１９は、操作手段１０３の表示オン指示に従って、記憶手段１０２から入力した画像データに基づいた画像を投影する。投影された画像が第２の端末１７０で表示すべき所望の表示画像であるときは、操作手段１０３の表示オン・オフボタン５１が再度押される。投影された画像が第２の端末１７０で表示すべき所望の表示画像と異なるときは、操作手段１０３の２つの選択ボタン５２及び５３により表示画像が投影されるように指定されたのち、操作手段１０３の表示オン・オフボタン５１が再度押される。
【００９３】
つぎに、操作手段１０３は、表示オン・オフボタン５１が再度押されると、画像取得手段１１８に撮影指示を出力する。画像取得手段１１８は、操作手段１０３の撮影指示に従って、画像を撮影し、撮影画像データを表示位置計算手段１０１に出力する。
【００９４】
表示位置計算手段１０１は、画像取得手段１１８が撮影した撮影画像データを入力すると、撮影画像データに第２の端末１７０が投影した表示位置情報供給手段６が含まれているか否かを判断する。表示位置計算手段１０１は、撮影画像データに第２の端末１７０が投影した表示位置情報供給手段６が含まれていなければ、操作手段１０３の新たな撮影指示により画像取得手段１１８が新たな撮影画像データを出力するまで待機する。
【００９５】
表示位置計算手段１０１は、撮影画像データに第２の端末１７０が投影した表示位置情報供給手段６が含まれていれば、撮影データ画像内の第２の端末１７０が投影した表示位置情報供給手段６の位置と表示画像の位置から第２の端末１７０の投影画像内での画像投影位置を判断し、表示位置情報を生成する。表示位置計算手段１０１は、撮影画像データ内の第２の端末１７０が投影した表示位置情報供給手段６から、第２の端末１７０の接続情報を取得する。
【００９６】
つぎに、表示位置計算手段１０１は、Ｉ／Ｆ１０４を介して通信手段１０５に第２の端末１７０の接続情報を出力するとともに、投影中の表示画像のデータを記憶手段１０２から読み出して、通信手段１０５に対し第２の端末１７０に表示画像のデータと表示位置情報を送信するように指示する。通信手段１０５は、表示位置計算手段１０１のデータ送信指示に従って、第２の端末１７０に対して表示画像のデータと表示位置情報とを送信する。
【００９７】
つぎに、表示位置計算手段１０１は、画像投影手段１１９に表示画像の投影を終了するように指示する。
【００９８】
つぎに、通信手段１７５が第１の端末１００から表示画像のデータと表示位置情報を受信すると、通信手段１７５は、受信した表示位置情報から表示位置を判断し、表示位置情報供給手段投影手段１８９に受信した表示画像のデータを表示するように指示する。表示位置情報供給手段投影手段１８９は、通信手段１７５の表示指示に従って、受信した表示画像データに基づいた表示画像を表示する。
【００９９】
本実施形態において、第１の端末１００に代えて、第２の端末１７０が表示位置計算手段１０１を含んでもよい。
【０１００】
本実施形態によっても、実施形態１と同様の効果を得ることができる。
【０１０１】
［実施形態８］
図１９及び２０は、本実施形態の画像表示システムを示す模式図である。図１９及び２０に示すとおり、本実施形態の画像表示システムは、端末１００の操作手段１０３の構成が異なる点を除き、実施形態１の画像表示システムと同じ構成である。図２１は、操作手段１０３を示す模式図である。図２１に示すように、操作手段１０３は、撮影ボタン７１を含む。
【０１０２】
つぎに、図１９〜２１を参照して、本実施形態の画像表示システムを用いた画像表示方法について説明する。
【０１０３】
まず、端末１００の操作手段１０３の撮影ボタン７１が押されると、操作手段１０３は、画像取得手段１１８に撮影指示を出力する。画像取得手段１１８は、操作手段１０３の撮影指示に従って、表示画像６９を撮影し、撮影表示画像データを表示位置計算手段１０１に出力する。
【０１０４】
表示位置計算手段１０１は、画像取得手段１１８が撮影した撮影表示画像６９のデータを入力すると、撮影表示画像６９のデータを記憶手段１０２に保存するとともに、画像投影手段１１９に撮影表示画像６９を投影するように指示する。操作手段１０３は、撮影ボタン７１が再度押されるまで待機する。
【０１０５】
操作手段１０３の撮影ボタン７１が再度押されると、操作手段１０３は、画像取得手段１１８に画像を撮影するように指示する。画像取得手段１１８は、操作手段１０３の撮影指示に従って、画像を撮影し、撮影画像データを表示位置計算手段１０１に出力する。
【０１０６】
表示位置計算手段１０１は、撮影画像データに表示装置１２０の表示位置情報供給手段６が含まれているか否かを判断する。表示位置計算手段１０１は、撮影画像データに表示装置１２０の表示位置情報供給手段６が含まれていなければ、操作手段１０３の新たな撮影指示により画像取得手段１１８が新たな撮影表示画像データを出力するまで待機する。
【０１０７】
表示位置計算手段１０１は、撮影画像データに表示装置１２０の表示位置情報供給手段６が含まれていれば、撮影画像データ内の表示装置１２０の表示位置情報供給手段６の位置と画像投影手段１１９の投影画像の位置から表示装置１２０内での画像投影位置を判断し、表示位置情報を生成する。表示位置計算手段１０１は、撮影画像データ内の表示装置１２０の表示位置情報供給手段６から、表示装置１２０の接続情報を取得する。
【０１０８】
つぎに、表示位置計算手段１０１は、Ｉ／Ｆ１０４を介して通信手段１０５に表示装置１２０の接続情報を出力するとともに、投影中の表示画像６９のデータを記憶手段１０２から読み出して、通信手段１０５に対し表示装置１２０に表示画像６９のデータと表示位置情報を送信するように指示する。通信手段１０５は、表示位置計算手段１０１のデータ送信指示に従って、表示装置１２０に対して表示画像６９のデータと表示位置情報とを送信する。
【０１０９】
つぎに、表示位置計算手段１０１は、画像投影手段１１９に表示画像６９の投影を終了するように指示する。
【０１１０】
つぎに、表示装置１２０の通信手段１２５が端末１００から表示画像６９のデータと表示位置情報を受信すると、通信手段１２５は、受信した表示位置情報から表示位置を判断し、映像信号処理手段１２７に受信した表示画像６９のデータを表示するように指示する。映像信号処理手段１２７は、通信手段１２５の表示指示に従って、受信した表示画像６９のデータに基づいた表示画像６９を表示する。
【０１１１】
本実施形態において、第１の端末１００に代えて、第２の端末１７０が表示位置計算手段１０１を含んでもよい。
【０１１２】
本実施形態によっても、実施形態１と同様の効果を得ることができる。
【０１１３】
［実施形態９］
図２２及び２３は、本実施形態の画像表示システムを示す模式図である。図２２及び２３に示すとおり、本実施形態の画像表示システムは、表示装置１２０を、第１の表示装置１２０とし、第１の表示装置１２０とは別の第２の表示装置２２０を含み、端末１００の操作手段１０３の構成が異なる点を除き、実施形態１の画像表示システムと同じ構成である。図２４は、操作手段１０３を示す模式図である。図２４に示すように、操作手段１０３は、撮影ボタン９１を含む。
【０１１４】
図２５は、本実施形態の画像表示システムの構成の詳細を示すブロック図である。第２の表示装置２２０は、記憶手段２２２と、操作手段２２３と、Ｉ／Ｆ２２４と、通信手段２２５と、データパス２２６と、映像信号処理手段２２７とを含む。記憶手段２２２は、表示する画像データを保存する。通信手段２２５は、アクセスポイント１３１と有線で通信し、データを交信する。
【０１１５】
つぎに、図２２〜２５を参照して、本実施形態の画像表示システムを用いた画像表示方法について説明する。
【０１１６】
まず、端末１００の操作手段１０３の撮影ボタン９１が押されると、操作手段１０３は、画像取得手段１１８に撮影指示を出力する。画像取得手段１１８は、操作手段１０３の撮影指示に従って、画像を撮影し、撮影画像データを表示位置計算手段１０１に出力する。
【０１１７】
表示位置計算手段１０１は、画像取得手段１１８が撮影した撮影画像データを入力すると、撮影画像データを記憶手段１０２に保存するとともに、撮影画像データに第２の表示装置２２０の表示位置情報供給手段８６が含まれているか否かを判断する。表示位置計算手段１０１は、撮影画像データに第２の表示装置２２０の表示位置情報供給手段８６が含まれていなければ、操作手段１０３の新たな撮影指示により画像取得手段１１８が新たな撮影画像データを出力するまで待機する。
【０１１８】
表示位置計算手段１０１は、撮影画像データに第２の表示装置２２０の表示位置情報供給手段８６が含まれていれば、撮影画像データの第２の撮影範囲８４内に第２の表示装置２２０が表示している表示画像８９の表示位置情報供給手段９０が含まれているか否かを判断する。表示位置計算手段１０１は、撮影画像データに表示画像８９の表示位置情報供給手段９０が含まれていなければ、操作手段１０３の新たな撮影指示により画像取得手段１１８が新たな撮影画像データを出力するまで待機する。
【０１１９】
表示位置計算手段１０１は、撮影画像データに表示画像８９の表示位置情報供給手段９０が含まれていれば、撮影画像データ内の表示画像８９の表示位置情報供給手段９０から、表示画像８９の識別情報を取得する。
【０１２０】
つぎに、表示位置計算手段１０１は、画像投影手段１１９に撮影画像データを投影するように指示する。画像投影手段１１９は、表示位置計算手段１０１の撮影画像データ表示指示に従って、記憶手段１０２から入力した撮影画像データに基づいた画像を投影する。
【０１２１】
つぎに、操作手段１０３は、撮影ボタン９１が再度押されると、画像取得手段１１８に撮影指示を出力する。画像取得手段１１８は、操作手段１０３の撮影指示に従って、画像を撮影し、撮影画像データを表示位置計算手段１０１に出力する。
【０１２２】
表示位置計算手段１０１は、画像取得手段１１８が撮影した撮影画像データを入力すると、撮影画像データに第１の表示装置１２０の表示位置情報供給手段６が含まれているか否かを判断する。表示位置計算手段１０１は、撮影画像データに第１の表示装置１２０の表示位置情報供給手段６が含まれていなければ、操作手段１０３の新たな撮影指示により画像取得手段１１８が新たな撮影画像データを出力するまで待機する。
【０１２３】
表示位置計算手段１０１は、撮影画像データに第１の表示装置１２０の表示位置情報供給手段６が含まれていれば、撮影データ画像内の第１の表示装置１２０の表示位置情報供給手段６の位置と画像投影手段１１９の投影画像の位置から第１の表示装置１２０内での画像投影位置を判断し、表示位置情報を生成する。表示位置計算手段１０１は、撮影画像データ内の第１の表示装置１２０の表示位置情報供給手段６から、第１の表示装置１２０の接続情報を取得する。
【０１２４】
つぎに、表示位置計算手段１０１は、Ｉ／Ｆ１０４を介して通信手段１０５に第１の表示装置１２０の接続情報を出力するとともに、通信手段１０５に対し第２の表示装置２２０に表示画像８９のデータの第１の表示装置１２０への送信要求と表示位置情報を送信するように指示する。通信手段１０５は、表示位置計算手段１０１のデータ送信指示に従って、第２の表示装置２２０に対して表示画像８９のデータの第１の表示装置１２０への送信要求と表示位置情報とを送信する。
【０１２５】
つぎに、表示位置計算手段１０１は、画像投影手段１１９に表示画像の投影を終了するように指示する。
【０１２６】
つぎに、第１の表示装置１２０の通信手段１２５が第２の表示装置２２０から表示画像８９のデータと表示位置情報を受信すると、通信手段１２５は、Ｉ／Ｆ１２４を介して映像信号処理手段１２７に受信した表示画像８９のデータと表示位置情報を出力する。映像信号処理手段１２７は、入力された表示位置情報から表示位置を判断し、入力された表示画像８９のデータに基づいた表示画像８９を表示する。
【０１２７】
本実施形態において、実施形態２と同様に、端末１００に代えて、第１の表示装置１２０が表示位置計算手段１２１を含んでもよい。
【０１２８】
本実施形態によっても、実施形態１と同様の効果を得ることができる。
【産業上の利用可能性】
【０１２９】
以上のように、本発明の画像表示システム、端末及び表示装置は、任意の位置に任意のサイズで表示画像を表示することが可能なものである。本発明の画像表示システム、端末及び表示装置の用途は、特に限定されず、例えば、会議システム等に幅広く適用可能である。
【符号の説明】
【０１３０】
３、４３  撮影範囲
４、４４  投影範囲
６、７、８６、９０  表示位置情報供給手段
６９、８９  表示画像
１００  端末（第１の端末）
１０１、１２１、１５１  表示位置計算手段
１０２、１２２、１５２、１７２、２０２、２２２  記憶手段
１０３、１２３、１５３、１７３、２０３、２２３  操作手段
１０４、１２４、１５４、１７４、２０４、２２４  Ｉ／Ｆ
１０５、１２５、１５５、１７５、２０５、２２５  通信手段
１０６、１２６、１５６、１７６、２０６、２２６  データパス
１０７、１１０、１２７、１７７、１８０、２２７、２５２  映像信号処理手段
１１８  画像取得手段
１１９  画像投影手段
１２０  表示装置（第１の表示装置）
１３１  アクセスポイント
１５０  サーバ
１６１  ルーター
１６２  クラウド
１７０  第２の端末
１８８  表示位置情報供給手段取得手段
１８９  表示位置情報供給手段投影手段
２００  ＰＣ
２０１  制御手段
２２０  第２の表示装置
２３２  画像表示手段
【図１】
2013246328.tif 000003
【図２】
2013246328.tif 000004
【図３】
2013246328.tif 000005
【図４】
2013246328.tif 000006
【図５】
2013246328.tif 000007
【図６】
2013246328.tif 000008
【図７】
2013246328.tif 000009
【図８】
2013246328.tif 000010
【図９】
2013246328.tif 000011
【図１０】
2013246328.tif 000012
【図１１】
2013246328.tif 000013
【図１２】
2013246328.tif 000014
【図１３】
2013246328.tif 000015
【図１４】
2013246328.tif 000016
【図１５】
2013246328.tif 000017
【図１６】
2013246328.tif 000018
【図１７】
2013246328.tif 000019
【図１８】
2013246328.tif 000020
【図１９】
2013246328.tif 000021
【図２０】
2013246328.tif 000022
【図２１】
2013246328.tif 000023
【図２２】
2013246328.tif 000024
【図２３】
2013246328.tif 000025
【図２４】
2013246328.tif 000026
【図２５】
2013246328.tif 000027